(57)【要約】【課題】ホース長を短くしつつ本体ケーシング内においてホース接続の作業スペースを確保でき、作業性を向上できる空気調和機の室内機を提供する。【解決手段】本体ケーシング(３１,３２)と、本体ケーシング(３１,３２)内に設けられ、室外空気を室内に供給するための給気口４０aを一端に有し、室外に連なる空気通路としてのホース４１の一端が接続されるホース接続部４０bを他端に有するダクト部４０とを備える。上記ダクト部４０のホース接続部４０bを、本体ケーシング(３１,３２)内の左側の下側に配置する。上記本体ケーシング(３１,３２)内の右側に、連絡配管が接続される配管接続部６０を備える。【選択図】図６
2008256325.tif 000002
【特許請求の範囲】
【請求項１】
給気機能と排気機能と給気加湿機能と加湿機能のうちの少なくとも１つを備えた床置き型または壁埋め込み型の空気調和機の室内機であって、
本体ケーシング(３１,３２)と、
上記本体ケーシング(３１,３２)内に設けられ、室外に連なる通路としてのホース(４１)の一端が接続されるホース接続部(４０b)を有する空気および／または水の搬送部(４０)と
を備え、
上記搬送部(４０)の上記ホース接続部(４０b)が、上記本体ケーシング(３１,３２)内の左右のいずれかの一方の側の下側に配置されていることを特徴とする空気調和機の室内機。
【請求項２】
請求項１に記載の空気調和機の室内機において、
上記搬送部(４０)は、室外空気を室内に供給するための給気口(４０a)または室内空気を室外に排気するための排気口を一端に有し、上記ホース接続部(４０b)を他端に有するダクト部であることを特徴とする空気調和機の室内機。
【請求項３】
請求項１または２に記載の空気調和機の室内機において、
上記本体ケーシング(３１,３２)内の左右のいずれか他方の側に設けられ、連絡配管(Ｌ１,Ｌ２)が接続される配管接続部(６０)を備えたことを特徴とする空気調和機の室内機。
【発明の詳細な説明】
【技術分野】
【０００１】
この発明は、空気調和機の室内機に関し、詳しくは、給気機能と排気機能と給気加湿機能と加湿機能のうちの少なくとも１つを備えた床置き型または壁埋め込み型の空気調和機の室内機に関する。
【背景技術】
【０００２】
従来、空気調和機の室内機としては、室内の壁に後面側が接するように床に据え付けられる床置き型のものがある(例えば、特開平１１−２３０５６５号公報(特許文献１)参照)。この空気調和機の室内機では、配管接続部を左右のいずれか一方の下側に配置し、室外からの連絡配管を床下または後面側から配管接続部に接続する。
【０００３】
このような床置き型の空気調和機の室内機において、外部から加湿された室外空気を室内に供給する給気加湿機能を備えようとすると、加湿空気の搬送通路に用いる加湿ホースを床下または後面側から連絡配管と共に本体ケーシング内に入れて接続する必要がある。
【０００４】
この場合に、本体ケーシング内に加湿ホースを入れる箇所を連絡配管とは別にすると、引き回し経路が長くなって加湿ホース長が長くなったり据付時の作業性が悪くなったりするという問題がある。また、上記床置き型の空気調和機の室内機では、加湿ホースを接続するホース接続部と連絡配管を接続する配管接続部が、本体ケーシング内の同じスペースに配置された構造では、据付時に加湿ホースをホース接続部に接続するときに作業スペースが狭いため、連絡配管や配管接続部と干渉して作業性が悪いという問題がある。
【特許文献１】特開平１１−２３０５６５号公報
【発明の開示】
【発明が解決しようとする課題】
【０００５】
そこで、この発明の課題は、ホース長を短くしつつ本体ケーシング内においてホース接続の作業スペースを確保でき、作業性を向上できる空気調和機の室内機を提供することにある。
【課題を解決するための手段】
【０００６】
上記課題を解決するため、この発明の空気調和機の室内機は、
給気機能と排気機能と給気加湿機能と加湿機能のうちの少なくとも１つを備えた床置き型または壁埋め込み型の空気調和機の室内機であって、
本体ケーシングと、
上記本体ケーシング内に設けられ、室外に連なる通路としてのホースの一端が接続されるホース接続部を有する空気および／または水の搬送部と
を備え、
上記搬送部の上記ホース接続部が、上記本体ケーシング内の左右のいずれかの一方の側の下側に配置されていることを特徴とする。
【０００７】
上記構成によれば、上記搬送部により空気を搬送する場合の給気機能または給気加湿機能を備えた空気調和機の室内機では、本体ケーシング内に設けられた搬送部のホース接続部に、本体ケーシング内の左右のいずれか一方の側の下側で、室外に連なる空気通路としてのホースの一端を接続する。また、上記搬送部により水を搬送する場合の加湿機能を備えた空気調和機の室内機では、本体ケーシング内に設けられた搬送部のホース接続部に、本体ケーシング内の左右のいずれか一方の側の下側で、室外に連なる水通路としてのホースの一端を接続する。この水通路であるホースを介して外部から供給された水を、本体ケーシング内に設けられた例えば加湿装置により蒸発させて、室内を加湿する。そうして、上記本体ケーシング内の左右のいずれかの一方の側の下側に搬送部のホース接続部を配置することによって、ホースの引き回し経路が短くなってホース長を短縮でき、据付時の作業性が向上する。また、据付時にホースをホース接続部に接続するとき、例えばホース接続部に最も近い本体ケーシング背面の位置からホースを本体ケーシング内に挿入する等によって本体ケーシング内においてホースの引き回しを短くすれば、作業スペースを広くとることができる。この場合、連絡配管と同じように本体ケーシングの下側からホースを挿入して接続することが可能となるので、ホース長を短くしつつ本体ケーシング内においてホース接続の作業スペースを確保でき、作業性を向上できる。なお、上記搬送部により空気を搬送する場合の排気機能を備えた空気調和機の室内機では、搬送部の一端は、室内空気を室外に排気するための排気口となり、ホース接続については上記と同様である。
【０００８】
また、一実施形態の空気調和機の室内機では、上記搬送部は、室外空気を室内に供給するための給気口または室内空気を室外に排気するための排気口を一端に有し、上記ホース接続部を他端に有するダクト部である。
【０００９】
上記実施形態によれば、給気機能または給気加湿機能を備えた空気調和機の室内機では、ダクト部の一端の給気口から室外空気を室内に供給され、排気機能を備えた空気調和機の室内機では、ダクト部の一端の排気口から室内空気を室外に排気する。
【００１０】
また、一実施形態の空気調和機の室内機では、上記本体ケーシング内の左右のいずれか他方の側に設けられ、連絡配管が接続される配管接続部を備えた。
【００１１】
上記実施形態によれば、上記本体ケーシング内の左右のいずれか他方の側に、すなわち、ダクト部のホース接続部が配置されている側と本体ケーシングの中央部に対して反対の側に、連絡配管が接続される配管接続部を設けることによって、連絡配管や配管接続部と干渉することなく、ホースをホース接続部に接続可能な作業スペースを容易に確保できる。
【発明の効果】
【００１２】
以上より明らかなように、この発明の空気調和機の室内機によれば、ホース長を短縮できると共に、本体ケーシング内においてホースの引き回しを短くして作業スペースを確保できる空気調和機の室内機を実現することができる。
【００１３】
また、一実施形態の空気調和機の室内機によれば、本体ケーシング内の左右のいずれか他方の側に、連絡配管が接続される配管接続部を設けることによって、連絡配管や配管接続部と干渉することなく、ホースをホース接続部に接続可能な作業スペースを容易に確保することができる。
【発明を実施するための最良の形態】
【００１４】
以下、この発明の空気調和機の室内機を図示の実施の形態により詳細に説明する。
【００１５】
図１はこの発明の実施の一形態の空気調和機の室内機２とその室内機２に連絡配管Ｌ１,Ｌ２を介して接続された室外機１の冷媒回路の回路図を示している。この空気調和機は、図１に示すように、圧縮機１１と、上記圧縮機１１の吐出側が一端に接続された四路切換弁１２と、上記四路切換弁１２の他端に一端が接続された室外熱交換器１３と、上記室外熱交換器１３の他端に一端が接続された電動膨張弁１４と、上記電動膨張弁１４の他端に閉鎖弁２１,連絡配管Ｌ１を介して一端が接続された室内熱交換器１５と、上記室内熱交換器１５の他端に連絡配管Ｌ２,閉鎖弁２２,四路切換弁１２を介して一端が接続され、他端が圧縮機１１の吸入側に接続されたアキュムレータ１６とを備えている。上記圧縮機１１,四路切換弁１２,室外熱交換器１３,電動膨張弁１４, 室内熱交換器１５およびアキュムレータ１６で冷媒回路を構成している。上記圧縮機１１,四路切換弁１２,室外熱交換器１３,電動膨張弁１４,アキュムレータ１６,室外ファン１７および加湿ユニット４２で室外機１を構成し、室内熱交換器１５,室内ファン１８および搬送部の一例としてのダクト部４０で室内機２を構成している。
【００１６】
また、この空気調和機は、室外からの加湿空気を室内に供給するためのダクト部４０を室内機２に備えると共に、そのダクト部４０のホース接続部４０bと加湿ホース４１を介して接続された加湿ユニット４２を室外機１に備えている。
【００１７】
上記構成の空気調和機において、暖房運転時、四路切換弁１２を実線の切換え位置に切り換えて、圧縮機１１を起動すると、圧縮機１１から吐出された高圧冷媒が四路切換弁１２を通って室内熱交換器１５に入る。そして、上記室内熱交換器１５で凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る。こうして、上記圧縮機１１,室内熱交換器１５,電動膨張弁１４,室外熱交換器１３およびアキュムレータ１６で構成された冷媒回路を冷媒が循環して、冷凍サイクルを実行する。そして、室内ファン１８により室内熱交換器１５を介して室内空気を循環させることにより室内を暖房する。
【００１８】
これに対して、冷房運転時は、四路切換弁１２を点線の切換え位置に切り換えて、圧縮機１１,室外熱交換器１３,電動膨張弁１４,室内熱交換器１５およびアキュムレータ１６の順に冷媒が循環する冷凍サイクルを実行する。
【００１９】
そして、暖房運転時等において室内が乾燥する場合、加湿ユニット４２からの加湿空気を加湿ホース４１とダクト部４０を介して室内に供給する。この加湿ユニット４２は、ゼオライト等の吸着材を用いて室外空気から水分を吸着し、その吸着剤に吸着した水分により室外空気を加湿した後、加湿された室外空気を室内機２に供給するものである。なお、加湿ユニットの構成はこれに限らず、水道などの給水手段により補給される水を用いて、加湿された空気を室内機に供給する加湿ユニットなどでもよい。
【００２０】
図２は上記空気調和機の床置き型の室内機２の斜視図を示している。この室内機２は、図２に示すように、室内の壁面に後面側が取り付けられる略長方形状の底フレーム３１と、上記底フレーム３１の前面側に取り付けられ、前面に略長方形状の開口部(図示せず)を有する前面グリル３２と、前面グリル３２の開口部を覆うように取り付けられた吸込パネル３３とを備えている。上記底フレーム３１と前面グリル３２で本体ケーシングを構成している。
【００２１】
上記前面グリル３２の上部に上側吹出口３２aを設けると共に、前面グリル３２の下部に下側吹出口３２bを設けている。上記前面グリル３２の上側吹出口３２aにフラップ３４を設けている。このフラップ３４は、冷房運転および暖房運転時に回動して、上側吹出口３２aから冷風,温風を前方かつ斜め上方に吹き出し、運転停止時に上側吹出口３２aを覆う。
【００２２】
また、上記吸込パネル３３の上側に上側吸込口３３aを設け、吸込パネル３３の下側に下側吸込口３３bを設け、さらに吸込パネル３３の左右の側面に側方吸込口３３c(図２では右側のみを示す)を設けている。
【００２３】
また、上記底フレーム３１の前面グリル３２の後縁近傍に、上側カバー３５と、左側カバー３６(図３に示す)と、右側カバー３７とを取り外し自在に夫々取り付けている。この上側カバー３５,左側カバー３６および右側カバー３７は、係止爪(図示せず)が夫々設けられ、その係止爪が底フレーム３１に設けられた係合部(図示せず)に係合することにより、上側カバー３５,左側カバー３６および右側カバー３７が底フレーム３１に夫々固定されている。
【００２４】
図３は床置き型として据え付けられた室内機２の側面図を示している。図３に示すように、本体ケーシング(３１,３２)内の左側面近傍かつ下側にダクト部４０を配置している。上記ダクト部４０は、吸込パネル３３と室内熱交換器１５との間に、加湿された室外空気を室内に供給するための給気口の一例としての室内側開口４０aを一端に有し、底フレーム３１内の左側面近傍かつ下側で、室外に連なる空気通路としての加湿ホース４１の一端が接続されるホース接続部４０bを他端に有している。図３において、上側カバー３５,左側カバー３６および右側カバー３７(図２に示す)は、底フレーム３１に取り付けられている。また、ダクト部４０の室内側開口４０aにフィルタ部５０を着脱自在に取り付けている。
【００２５】
この室内機２は、背面側を壁面に接するように床置きされている。上記加湿ホース４１は、壁面側から連絡配管Ｌ１,Ｌ２(図１に示す)と共に室内機２に接続される。
【００２６】
図４は図３に示す上側カバー３５,左側カバー３６を外した状態の室内機２を示す側面図を示している。なお、図４では、上側カバー３５を外しているが、壁埋め込みとしないときは接続作業時に上側カバー３５を外さなくともよい。
【００２７】
この室内機２を据え付けるとき、図４に示すように、左側カバー３６を底フレーム３１から外した状態で作業者の手が入る程度に壁面から離した位置に室内機２に仮置きして、目視用開口部３１aを介して目視確認しながら加湿ホース４１をホース接続部４０bに容易に接続する。そして、加湿ホース４１および連絡配管Ｌ１,Ｌ２(図１に示す)の接続が完了した後、再び上側カバー３５と左側カバー３６を底フレーム３１に取り付ける。次に、図３に示すように、室内機２の背面側を壁面につけてねじ等を用いて壁３０に固定する。
【００２８】
なお、図５に示すように、この室内機２において、図２,図３に示す上側カバー３５,左側カバー３６および右側カバー３７を外した状態で底フレーム３１の一部(前面グリル３２の後縁よりも背面側部分)を壁３０内に埋め込んで据え付けてもよい。
【００２９】
この実施の形態の空気調和機の室内機２によれば、加湿ホース長を短くしつつ底フレーム３１内において加湿ホース接続の作業スペースを確保でき、作業性を向上できる。
【００３０】
また、上記底フレーム３１内の左右のいずれか他方の側に、連絡配管Ｌ１,Ｌ２が接続される配管接続部６０を設けたことによって、連絡配管Ｌ１,Ｌ２や配管接続部６０と干渉することなく、加湿ホース４１をホース接続部４０bに接続可能な作業スペースを容易に確保することができる。
【００３１】
また、図６は上記室内機２の吸込パネル３３と前面グリル３２を取り外した状態を示す正面図を示している。図６に示すように、底フレーム３１の前面側に略平面形状の室内熱交換器１５が配置され、その裏面側に室内ファン１８を配置している。この室内ファン１８は、前面側から空気を吸い込んで半径方向外向に吹き出すターボファンである。上記底フレーム３１の左側面近傍かつ下側にダクト部４０を配置している。このダクト部４０は、後面側斜め上方に向かって開口する略長方形状の室内側開口部４０aを上端に有する本体４０cと、その本体４０cの下端から下方に延びて後面側に向かって湾曲する湾曲部４０dとを有する。また、ダクト部４０の室内側開口部４０aに取り付けられているフィルタ部５０は、斜め上方向に引き上げて取り外して清掃することができる。このダクト部４０の湾曲部４０dの下端にホース接続部４０b(図３,図４に示す)を設けている。上記底フレーム３１の上側に上側吹出口３２aを有すると共に、底フレーム３１の下側に下側吹出口３２bを有している。
【００３２】
また、図６に示すように、底フレーム３１の右側面近傍に、連絡配管Ｌ１,Ｌ２(図１に示す)が接続される配管接続部６０を設けている。連絡配管Ｌ１,Ｌ２は、底フレーム３１の左側面近傍かつ下側に背面側から加湿ホース４１(図３〜図５に示す)と共に入り、底フレーム３１内の下側を左から右に向かって導かれて配管接続部６０に接続される。
【００３３】
ここで、底フレーム３１の左側面において、連絡配管Ｌ１,Ｌ２(図１に示す)を、背面側からではなく、左側方から底フレーム３１内に入れて配管接続部６０に接続する場合、図４に示す底フレーム３１の目視用開口部３１aの後面側に底フレーム３１と一体に形成された台形状の板部材３１bを外すことにより、板部材３１bが外された部分と目視用開口部３１aによって、連絡配管Ｌ１,Ｌ２を左側方から底フレーム３１内に挿入するための穴が形成される。上記板部材３１bの目視用開口部３１a側を除く外周に溝を形成することにより薄肉にして、板部材３１bを外しやすくしている。
【００３４】
このように、連絡配管Ｌ１,Ｌ２を左側方から配管接続部６０に接続するための穴の一部を目視用開口部３１aに兼用しているので、別に目視用開口部を本体ケーシングに設ける必要がなくなり、本体ケーシング構造を簡略化でき、コストを低減することができる。
【００３５】
上記実施の形態では、給気加湿機能を備えた床置き型および壁埋め込み型の空気調和機の室内機について説明したが、これに限らず、給気機能または排気機能を備えた床置き型(または壁埋め込み型)の空気調和機の室内機にこの発明を適用してもよく、給気機能と排気機能と給気加湿機能のうちの少なくとも２つを組み合わせた床置き型(または壁埋め込み型)の空気調和機の室内機にこの発明を適用してもよい。
また、これに代えて、室外に連なるホースと搬送部を介して本体ケーシング内に水を搬送し、その搬送された水を用いて、例えば本体ケーシング内に設けられた加湿装置により室内を加湿する加湿機能を備えた床置き型(または壁埋め込み型)の空気調和機の室内機にこの発明を適用してもよいし、この加湿機能に、給気機能または排気機能の少なくとも１つを組み合わせた床置き型(または壁埋め込み型)の空気調和機の室内機にこの発明を適用してもよい。ここで、例えば特開２００２−３１７９７０号公報に記載された方法で水搬送により外部から供給された水を用いて加湿を行うことができる。
【００３６】
また、壁埋め込み型の空気調和機の室内機は、壁に設けられた凹部に背面側を埋め込んで設置するが、床に底部が据え付けられるものに限らず、壁から離れた位置に設けられた凹部に背面側を埋め込んで設置するものでもよい。
【００３７】
また、上記実施の形態では、床置き型と壁埋め込み型のいずれにも適用できる空気調和機の室内機について説明したが、床置き型専用の空気調和機の室内機や壁埋め込み型専用の空気調和機の室内機にこの発明を適用してもよい。
【００３８】
また、上記実施の形態では、底フレーム３１内の左側面近傍かつ下側にダクト部４０のホース接続部４０bが位置する空気調和機の室内機について説明したが、ダクト部のホース接続部は本体ケーシングの左側面近傍に限らず、右側面近傍の位置にあってもよい。
【００３９】
さらに、上記実施の形態では、ダクト部４０の給気口である室内側開口４０aを吸込パネル３３と室内熱交換器１５との間の下側に配置したが、ダクト部の室内側開口はこれに限らず、吸込パネルと室内熱交換器との間の上側に配置してもよいし、上側吹出口近傍に配置してもよい。
【図面の簡単な説明】
【００４０】
【図１】図１はこの発明の実施の一形態の空気調和機の室内機と室外機の冷媒回路の回路図である。
【図２】図２は上記空気調和機の室内機の斜視図である。
【図３】図３は床置き型として据え付けられた室内機の側面図である。
【図４】図４は上側カバー,左側カバーを外した状態の室内機を示す側面図である。
【図５】図５は上記空気調和機の壁埋め込み型とした場合の室内機の側面図である。
【図６】図６は上記室内機の吸込パネルと前面グリルを取り外した状態を示す正面図である。
【符号の説明】
【００４１】
１…室外機
２…室内機
１１…圧縮機
１２…四路切換弁
１３…室外熱交換器
１４…電動膨張弁
１５…室内熱交換器
１６…アキュムレータ
１７…室外ファン
１８…室内ファン
２１,２２…閉鎖弁
３０…壁
３１…底フレーム
３２…前面グリル
３２a…上側吹出口
３２b…下側吹出口
３３…吸込パネル
３３a…上側吸込口
３３b…下側吸込口
３３c…側方吸込口
３４…フラップ
４０…ダクト部
４０a…室内側開口部
４０b…ホース接続部
４１…加湿ホース
４２…加湿ユニット
５０…フィルタ部
６０…配管接続部
Ｌ１,Ｌ２…連絡配管
【図１】
2008256325.tif 000003
【図２】
2008256325.tif 000004
【図３】
2008256325.tif 000005
【図４】
2008256325.tif 000006
【図５】
2008256325.tif 000007
【図６】
2008256325.tif 000008